(57)【要約】【課題】ミスアライメントまたは偏荷重による回転不良を防止することができ、また、ラジアル荷重及びアキシアル荷重を受けることができる複列玉軸受を提供する。【解決手段】内輪として機能するブシュ２と外輪として機能するローラ４との間に複数のラジアル荷重支持用玉（転動体）３を複列に介在したチェーンにおいて、ローラ（外輪）４の両側面に対向して環状のアキシアル荷重支持用軸受板７を配置した。【選択図】図１
2005048932.tif 000002
【特許請求の範囲】
【請求項１】
内輪と外輪との間に複数のラジアル荷重支持用玉を複列に介在した複列玉軸受において、
前記外輪の両側面に対向して環状のアキシアル荷重支持用軸受板を配置したことを特徴とする複列玉軸受。
【請求項２】
内輪と外輪との間に複数のラジアル荷重支持用玉を複列に介在した複列玉軸受において、
前記外輪の両側部内側に複数のアキシアル荷重支持用玉を配置したことを特徴とする複列玉軸受。
【請求項３】
前記内輪の外径側に前記ラジアル荷重支持用玉と前記アキシアル荷重支持用玉を区画するスペーサリングを配置したことを特徴とする請求項２記載の複列玉軸受。
【発明の詳細な説明】
【技術分野】
【０００１】
本発明は、ミスアライメントまたは偏荷重による回転不良を防止することができ、また、ラジアル荷重及びアキシアル荷重を受けることができる複列玉軸受に関する。
【背景技術】
【０００２】
ころ軸受を適用したチェーンとして、内輪として機能するブシュと外輪として機能するローラ間に円筒ころを介在させたチェーンがある（例えば、特許文献１参照。）。
【特許文献１】特公平４−７８５２３号公報  また、玉軸受を組み込んだチェーンとして、ブシュの外周面に玉軸受を取り付け、この玉軸受をローラチェーンのローラとして使用するものがある（例えば、特許文献２参照。）。
【特許文献２】特許第２８９８３５２号公報  また、軸受を適用したチェーンとして、内輪として機能するブシュと外輪として機能するローラ間に、円筒ころと玉を同一の保持器に保持したものを組み込んだチェーンがある（例えば、特許文献３参照。）。
【特許文献３】特開平１１−８２４９１号公報
【発明の開示】
【発明が解決しようとする課題】
【０００３】
しかしながら、一般に、円筒ころ軸受の場合、外輪に荷重がかかった状態で、円筒ころの転がる方向が外輪の転動方向からずれた場合、スキューが生じ、外輪が回転不良となることがある。また、円筒ころ軸受はミスアライメントに敏感なため、取付精度を高める必要があり、また、部品の製作精度も高くする必要がある。
【０００４】
また、上記特公平４−７８５２３号公報に開示されたころ軸受を適用したチェーンにおいては、保持器を使用していないため、円筒ころ同士が長さ方向の線状に、かつ互いに反対方向に回転しながら接触するため、抵抗が大きくころの摩耗も大きくなる。
【０００５】
また、上記特許第２８９８３５２号公報に開示された、玉軸受を取り付けたローラチェーンは、ブシュとの寸法互換性がなく、それを維持するためには加工を必要とするため、コストアップとなる。また、単列玉軸受では負荷能力も小さい。
【０００６】
また、上記特開平１１−８２４９１号公報に開示された軸受を適用したチェーンは、円筒ころと玉を同時に保持する保持器の構造が複雑になる。また、円筒ころと玉の直径差を厳密に管理しないと玉あるいは円筒ころのスキュー防止効果が著しく減少する。
【０００７】
そこで、本発明は、ミスアライメントまたは偏荷重による回転不良を防止することができ、また、ラジアル荷重及びアキシアル荷重を受けることができる複列玉軸受を提供することを課題とするものである。
【課題を解決するための手段】
【０００８】
請求項１記載の発明は、内輪と外輪との間に複数のラジアル荷重支持用玉を複列に介在した複列玉軸受において、前記外輪の両側面に対向して環状のアキシアル荷重支持用軸受板を配置したものである。
【０００９】
請求項２記載の発明は、内輪と外輪との間に複数のラジアル荷重支持用玉を複列に介在した複列玉軸受において、前記外輪の両側部内側に複数のアキシアル荷重支持用玉を配置したものである。
【００１０】
請求項３記載の発明は、請求項２記載の発明において、前記内輪の外径側に前記ラジアル荷重支持用玉と前記アキシアル荷重支持用玉を区画するスペーサリングを配置したものである。
【発明の効果】
【００１１】
請求項１記載の発明によれば、転動体としてラジアル荷重支持用玉を使用しているので、ミスアライメントまたは偏荷重による複列玉軸受の回転不良を防止することができる。また、前記外輪の両側面に環状のアキシアル荷重支持用軸受板を配置したので、ラジアル荷重だけでなく、アキシアル荷重も受けることができる。
【００１２】
請求項２記載の発明によれば、転動体としてラジアル荷重支持用玉を使用しているので、ミスアライメントまたは偏荷重による複列玉軸受の回転不良を防止することができる。また、前記外輪の両側部内側に複数のアキシアル荷重支持用玉を配置したので、ラジアル荷重だけでなく、アキシアル荷重も受けることができる。
【００１３】
請求項３記載の発明によれば、前記内輪の外径側に前記ラジアル荷重支持用玉と前記アキシアル荷重支持用玉を区画するスペーサリングを配置したので、前記ラジアル荷重支持用玉はラジアル荷重だけを受け、前記アキシアル荷重支持用玉はアキシアル荷重だけを受けることにより、複列玉軸受の回転が円滑に行われるとともに、荷重負荷能力や摩耗寿命を向上させることができる。
【発明を実施するための最良の形態】
【００１４】
本発明の複列玉軸受は、チェーンに適用することができる。以下に、本発明の複列玉軸受をチェーンに適用した場合の実施例について説明する。
【実施例１】
【００１５】
本発明の複列玉軸受を適用したチェーンの実施例１について説明する。図１は実施例１の要部断面図である。図１に示すチェーンは、一対の内プレート１，１が中空円筒状のブシュ２によって連結され、ブシュ２の外径面には、複数のラジアル荷重支持用玉３が複列（３列）に配置され、これらのラジアル荷重支持用玉３の外周にローラ４が回転自在に嵌め込まれている。また、一対の内プレート１，１の両外側にそれぞれ外プレート５，５が配置され、これら一対の外プレート５，５がブシュ２を貫通するピン６によって連結されている。
【００１６】
また、一対の内プレート１，１の対向する内側面とローラ４の両側面との間には環状のアキシアル荷重支持用軸受板７，７がブシュ２の外径側に嵌め込まれている。
【００１７】
そして、図１に示すチェーンにおいては、ブシュ２は複列玉軸受の内輪としての機能を有し、ローラ４は複列玉軸受の外輪としての機能を有し、ブシュ２とローラ４との間に介在する複数のラジアル荷重支持用玉３は複列玉軸受の転動体としての機能を有している。したがって、図１に示すチェーンにおいては、ブシュ２とローラ４と複数のラジアル荷重支持用玉３とで複列玉軸受を構成している。
【００１８】
図１に示すチェーンによれば、ローラ（外輪）４にアキシアル荷重あるいは多少の偏荷重がかかった場合でも、ラジアル荷重支持用玉（転動体）３はアキシアル方向に自由に転がり移動できるため、従来の転動体としてのころを使用した場合のように摩耗やスキューの問題を生じない。また、一般に、転動体として玉を使用するものは、転動体としてころを使用するものに比して大荷重に対しては不利とされているが、複列玉軸受を構成しているので、耐荷重性を稼ぐことができる。なお、この実施例ではラジアル荷重支持用玉（転動体）３は３列となっているが、複列であれば３列に限定されるものではない。また、一対の内プレート１，１の対向する内側面とローラ（外輪）４の両側面との間には環状のアキシアル荷重支持用軸受板７がブシュ（内輪）２の外径側に嵌め込まれているので、ローラ（外輪）４にかかるアキシアル荷重を環状のアキシアル荷重支持用軸受板７，７を介して内プレートで支持することができる。したがって、図１に示すチェーンはラジアル荷重及びアキシアル荷重を受けることができる。
【実施例２】
【００１９】
本発明の複列玉軸受を適用したチェーンの実施例２について説明する。図２は実施例２の要部断面図である。図２に示すチェーンは、図１に示すチェーンと比較すると、ラジアル荷重支持用玉（転動体）３を案内する軌道溝４ａ（３個）をローラ（外輪）４の内径面に設けている点でだけ相違している。したがって、その他の部分について構成・効果は図１に示すチェーンと同一であるので、その他の同一部分については同一符号を付してその説明を省略する。
【００２０】
図２に示すチェーンによれば、軌道溝４ａによってラジアル荷重支持用玉（転動体）３の軸方向への移動を制限し、ラジアル荷重支持用玉（転動体）３同士の軸方向の接触を防止している。
【実施例３】
【００２１】
本発明の複列玉軸受を適用したチェーンの実施例３について説明する。図３は実施例３の要部断面図である。図３に示すチェーンは、図１に示すチェーンと比較すると、ラジアル荷重支持用玉（転動体）３を案内する軌道溝２ａ（３個）をブシュ（内輪）２の外径面に設けている点でだけ相違している。したがって、その他の部分について構成・効果は図１に示すチェーンと同一であるので、その他の同一部分については同一符号を付してその説明を省略する。
【００２２】
図３に示すチェーンによれば、軌道溝２ａによってラジアル荷重支持用玉（転動体）３の軸方向への移動を制限し、ラジアル荷重支持用玉（転動体）３同士の軸方向の接触を防止している。
【実施例４】
【００２３】
本発明の複列玉軸受を適用したチェーンの実施例４について説明する。図４は実施例４の要部断面図である。図４に示すチェーンは、一対の内プレート１，１が中空円筒状のブシュ２によって連結され、ブシュ２の外径面には、複数のラジアル荷重支持用玉３が千鳥状に複列（５列）配置され、これらのラジアル荷重支持用玉３の外周にローラ４が回転自在に嵌め込まれている。また、一対の内プレート１，１の両外側にそれぞれ外プレート５，５が配置され、これら一対の外プレート５，５がブシュ２を貫通するピン６によって連結されている。
【００２４】
また、ローラ４の両側部内側の軌道溝４ｃ内に複数のアキシアル荷重支持用玉（転動体）８を嵌め込み、この複数のアキシアル荷重支持用玉（転動体）８は、この軌道溝４ｃとラジアル荷重支持用玉３と一対の内プレート１，１の対向する内側面とにより支持されて配置されている。
【００２５】
そして、図４に示すチェーンにおいては、ブシュ２は複列玉軸受の内輪としての機能を有し、ローラ４は複列玉軸受の外輪としての機能を有し、ブシュ２とローラ４との間に介在する複数のラジアル荷重支持用玉３は複列玉軸受の転動体としての機能を有している。したがって、図４に示すチェーンにおいては、ブシュ２とローラ４と複数のラジアル荷重支持用玉３とで複列玉軸受を構成している。
【００２６】
図４に示すチェーンによれば、ローラ（外輪）４にアキシアル荷重あるいは多少の偏荷重がかかった場合でも、ラジアル荷重支持用玉（転動体）３はアキシアル方向に自由に転がり移動できるため、従来の転動体としてのころを使用した場合のように摩耗やスキューの問題を生じない。また、一般に、転動体として玉を使用するものは、転動体としてころを使用するものに比して大荷重に対しては不利とされているが、複列玉軸受を構成しているので、耐荷重性を稼ぐことができる。なお、この実施例ではラジアル荷重支持用玉（転動体）３は５列となっているが、複列であれば５列に限定されるものではない。また、複数のアキシアル荷重支持用玉（転動体）８は、ローラ（外輪）４の軌道溝４ｃとラジアル荷重支持用玉（転動体）３と一対の内プレート１，１の対向する内側面とにより支持されて配置されているので、ローラ（外輪）４にかかるアキシアル荷重を複数のアキシアル荷重支持用玉（転動体）８を介して内プレートで支持することができる。したがって、図４に示すチェーンはラジアル荷重及びアキシアル荷重を受けることができる。
【実施例５】
【００２７】
本発明の複列玉軸受を適用したチェーンの実施例５について説明する。図５は実施例５の要部断面図である。図５に示すチェーンは、図４に示すチェーンと比較すると、ラジアル荷重支持用玉（転動体）３が３列である点、及びアキシアル荷重支持用玉（転動体）８の支持の手段が相違するだけである。すなわち、図５に示すチェーンは、ブシュ２（内輪）の外径側にスペーサリング９を配置し、複数のアキシアル荷重支持用玉（転動体）８は、ローラ（外輪）４の軌道溝４ｃとスペーサリング９と一対の内プレート１，１の対向する内側面とにより支持されて配置されている。そして、その他の部分について構成・効果は、図４に示すチェーンと同一であるので、その他の同一部分については同一符号を付してその説明を省略する。
【００２８】
図５に示すチェーンによれば、ラジアル荷重支持用玉（転動体）３とアキシアル荷重支持用玉（転動体）８の転がる場所をスペーサリング９によって分離し、ラジアル荷重支持用玉（転動体）３はラジアル荷重だけを受け、アキシアル荷重支持用玉（転動体）８はアキシアル荷重だけを受けるように、ラジアル荷重支持用玉（転動体）３とアキシアル荷重支持用玉（転動体）８に役割分担させることにより、荷重負荷能力や摩耗寿命を向上させることができる。
【実施例６】
【００２９】
本発明の複列玉軸受を適用したチェーンの実施例６について説明する。図６は実施例６の要部断面図である。図６に示すチェーンは、図５に示すチェーンと比較すると、ラジアル荷重支持用玉（転動体）３が２列である点、及びローラ（外輪）４の内径面略中央部に内向きつば４ｂを設けている点でだけ相違する。そして、その他の部分について構成・効果は、図５に示すチェーンと同一であるので、その他の同一部分については同一符号を付してその説明を省略する。
【００３０】
図６に示すチェーンによれば、内向きつば４ｂによりラジアル荷重支持用玉（転動体）３同士が接触しないようにしているので、図５に示すチェーンに比してよりスムーズに転がり、ラジアル荷重支持用玉（転動体）３の摩耗も図５に示すチェーンに比してより少なくすることができる。
【００３１】
なお、図５に示すチェーンの変形例として、図示はしないが、ラジアル荷重支持用玉（転動体）３を案内する軌道溝を、ローラ（外輪）４の内径面またはブシュ（内輪）２の外径面に設けてもよい。そして、ローラ（外輪）４の内径面またはブシュ（内輪）２の外径面に設けた軌道溝によって、ラジアル荷重支持用玉（転動体）３の軸方向への移動を制限し、ラジアル荷重支持用玉（転動体）３同士の軸方向の接触を防止することができる。
【００３２】
なお、上記各実施例は本発明の複列玉軸受をチェーンに適用した例を示したが、本発明の複列玉軸受はヨーク形トラックローラ軸受やスタット形トラックローラ軸受にも適用できる。
【図面の簡単な説明】
【００３３】
【図１】本発明の複列玉軸受を適用したチェーンの実施例１の要部断面図である。
【図２】本発明の複列玉軸受を適用したチェーンの実施例２の要部断面図である。
【図３】本発明の複列玉軸受を適用したチェーンの実施例３の要部断面図である。
【図４】本発明の複列玉軸受を適用したチェーンの実施例４の要部断面図である。
【図５】本発明の複列玉軸受を適用したチェーンの実施例５の要部断面図である。
【図６】本発明の複列玉軸受を適用したチェーンの実施例６の要部断面図である。
【符号の説明】
【００３４】
１    内プレート
２    ブシュ（内輪）
２ａ  軌道溝
３    ラジアル荷重支持用玉（転動体）
４    ローラ（外輪）
４ａ  軌道溝
４ｂ  内向きつば
４ｃ  軌道溝
５    外プレート
６    ピン
７    環状のアキシアル荷重支持用軸受板
８    アキシアル荷重支持用玉（転動体）
９    スペーサリング
【図１】
2005048932.tif 000003
【図２】
2005048932.tif 000004
【図３】
2005048932.tif 000005
【図４】
2005048932.tif 000006
【図５】
2005048932.tif 000007
【図６】
2005048932.tif 000008